(57)【要約】【課題】通気性と遮光性の両方を兼ね備え、誰でも簡単に取り付けることができる日よけシートを提供する。【解決手段】シートの厚さをＴ、太陽光の入射角をθとした場合に、透光孔の開口高さＨがＨ＝Ｔ×ｔａｎθで表される透光孔を多数備える。【選択図】図２
2009197428.tif 000002
【特許請求の範囲】
【請求項１】
太陽光を室内に取り込む窓ガラスや網戸などの枠部材に取り付けられ、上記太陽光の一部を遮蔽する日よけシートにおいて、
上記太陽光を取り込むための透光孔を多数有し、上記シートの厚さをＴ、上記太陽光の入射角をθとした場合に、透光孔の開口高さＨがＨ≦Ｔ×ｔａｎθで表されることを特徴とする日よけシート。
【請求項２】
上記厚さＴは０．３５ｍｍ以上であることを特徴とする請求項１に記載の日よけシート。
【請求項３】
上記入射角θが５５〜７８°であることを特徴とする請求項１または２に記載の日よけシート。
【請求項４】
上記透光孔の開口幅をＷとしたとき、上記透光孔は、開口高さＨよりも開口幅Ｗが大きく（Ｗ＞Ｈ）なるように形成されていることを特徴とする請求項１，２または３に記載の日よけシート。
【発明の詳細な説明】
【技術分野】
【０００１】
本発明は、夏場に窓ガラスや網戸など室内に太陽光を取り込む場所に設置され、太陽光の一部を遮蔽する日よけシートに関し、さらに詳しく言えば、通気性と遮蔽性を両立する日よけシートに関する。
【背景技術】
【０００２】
例えば特許文献１に示すように、夏場の強い日差しが屋内に入るのを避けるため、窓や玄関などに吊り下げて使用するすだれ（簾）がある。簾を吊すことにより、室内に入り込む太陽光の一部が遮蔽され、室温の上昇を抑えることができる。
【０００３】
また、簾は、細く切った竹や葦、樹脂製のチューブなどを糸で上下に連結したものであるため、適度な通気性を備えている。とりわけ、最近では省エネ志向が強いため、この種の日よけグッズに注目が集まっている。
【０００４】
【特許文献１】特開２００４−８９３１６号公報
【発明の開示】
【発明が解決しようとする課題】
【０００５】
しかしながら、昔ながらの簾を吊す方法では、以下のような問題があった。すなわち、従来の簾は、窓の軒先などに吊下フックを介して吊り下げていたため、風の強い場所などでは、簾が煽られて窓にぶつかったりして危険であった。
【０００６】
また、軒先に簾が吊り下がった状態で外に出ようとした場合、簾を一旦巻き上げるか、もしくは、簾を避けないと外に出られないため、不便でもある。さらには、賃貸住宅などの場合、吊下用のフックを壁面に打ち込んだりすることを躊躇うユーザもいる。
【課題を解決するための手段】
【０００７】
そこで、本発明は上述した問題を解決するため、通気性と遮光性の両方を兼ね備え、誰でも簡単に取り付けることができる日よけシートを提供することにある。
【０００８】
上述した目的を達成するため、本発明は以下に示すいくつかの特徴を備えている。請求項１に記載の発明は、太陽光を室内に取り込む窓ガラスや網戸などの枠部材に取り付けられ、上記太陽光の一部を遮蔽する日よけシートにおいて、上記太陽光を取り込むための透光孔を多数有し、上記シートの厚さをＴ、上記太陽光の入射角をθとした場合に、透光孔の開口高さＨがＨ≦Ｔ×ｔａｎθで表されることを特徴としている。
【０００９】
請求項２に記載の発明は、上記請求項１において、上記厚さＴは０．３５ｍｍ以上であることを特徴としている。
【００１０】
請求項３に記載の発明は、上記請求項１または２において、上記入射角θが５５〜７８°であることを特徴としている。
【００１１】
請求項４に記載の発明は、請求項１，２または３において、上記透光孔の開口幅をＷとしたとき、上記透光孔は、開口高さＨよりも開口幅Ｗが大きく（Ｗ＞Ｈ）なるように形成されていることを特徴としている。
【発明の効果】
【００１２】
この発明によれば、窓枠や網戸に沿って貼り合わせることが可能な薄いシートであっても、そのシート厚と開口高さとの関係を調整することによって、直射日光が室内に到達する光線量を減らすことができる。
【発明を実施するための最良の形態】
【００１３】
次に、本発明の実施形態について図面を参照しながら説明する。図１は、本発明の一実施形態に係る日よけシートの使用状態を示す模式図であり、図２は日よけシートの拡大正面図であり、図３は、本発明の日よけシートの遮光メカニズムを説明する説明図である。
【００１４】
図１に示すように、この日よけシート１は、窓枠サッシ２に沿って設けられた網戸３のサッシ部分に沿って専用の治具４を介して取り付けられている。この例において、日よけシート１は、網戸３のサッシ部分に取り付けられているが、窓枠サッシ２のガラス面に沿って取り付けられてもよい。
【００１５】
図２および図３を併せて参照して、日よけシート１は、ポリエステル繊維を編み込んだメッシュシートからなり、無数の透光孔５が規則的に配置されている。日よけシート１は、シート厚さＴが０．３５ｍｍ以上となるように設計されている。
【００１６】
すなわち、厚さＴが０．３５ｍｍ以上であることにより、シートの柔軟性を維持しながら、窓ガラスなどへの貼着性を良好に確保しつつ、かつ、入射光を効果的に遮ることができる。
【００１７】
透光孔５は、全て同じ形状であるため、以下においては、いずれか１つを例にとって説明する。この例において、透光孔５は千鳥格子に配置されているが、その配置順序は仕様に応じて任意である。
【００１８】
透光孔５は、その開口高さＨがＨ＝Ｔ×ｔａｎθとなるように形成されており、より好ましくは、その入射角θが５５〜７８°であることが好ましい。これによれば、５月から９月にかけての入射角５５°〜７８°の日差しが強い季節に直射日光を効果的に遮ることができる。
【００１９】
図３に示すように、太陽Ｓの位置が高い（入射角が大きい）夏場の場合、メッシュにより直射直射日光が遮られるため、より遮蔽効果が高い。また、太陽の位置が低い（入射角が低い）場合は、わずかに直射日光が入り込む。
【００２０】
ところで、網戸などに貼り付けて使用する場合、網戸の通気性を損なってはならない。通気性は、開口面積を大きくすればしただけよくなる反面、上述した遮蔽性が損なわれる。そこで、この透光孔５は、開口幅Ｗが開口高さＨよりも大きくなる（Ｗ＞Ｈ）ように形成されている。
【００２１】
この例において、透光孔５は、開口幅Ｗが１．７５ｍｍであり、開口高さＨが１．０５ｍｍ（アスペクト比約１：０．６）となる菱形状に形成されているが、開口幅Ｗが開口高さＨよりも大きくなる形状であれば、長方形や楕円形などであってもよい。
【００２２】
これによれば、透光孔５の開口高さＨを大きくすることなく、十分な開口面積が得られることにより、遮光性を確保しつつ、十分な通気性を保つことができる。
【００２３】
この例において、日よけシート１は、クリップ式の治具４を介して、上下左右の４辺を止めて固定されているが、例えばロールスクリーンの巻き上げ装置などに本発明の日よけシート１を取り付けてもよい。さらには、日よけシート１自体に粘着性や水貼り性を持たせて、窓ガラスなどに直に貼り付けるようにしてもよい。
【実施例】
【００２４】
次に、本発明の具体的な実施例について比較例とともに比較検討する。まず、実施例として、ポリエステル繊維からなるメッシュシート（縦２００ｍｍ×横４００ｍｍ，厚さ０．４ｍｍ，透後部：開口高さＨ１．２６ｍｍ×開口幅Ｗ１．８１ｍｍ）を用意し、市販の窓ガラスに貼り付けた。同様に比較例として、ガラス単体と、市販の簾（厚さ２．８ｍｍ）を用意した。
【００２５】
これらを同一条件で日照させたのち、その床面温度を測定した。併せて、照度（ｌｕｘ）および遮光比率、可視光線透過率ならびに通気性を測定した。さらには、昼間と夜間における目隠し効果を検討した。以下にその結果を示す。
【００２６】
《実施例１》
〔ポリエステル繊維メッシュシート〕
〔厚み〕：０．４ｍｍ
〔床面温度〕：３１．２℃
〔照度〕：８９５０ｌｕｘ
〔遮光比率〕：２０．６％
〔可視光線透過率〕：６０．０７％
〔通気性〕：１．４ｍ／ｓ
〔目隠し効果〕：昼間○，夜間△
【００２７】
〈比較例１〉
〔ガラス単体〕
〔厚み〕：−
〔床面温度〕：４２．０℃
〔照度〕：４３４００ｌｕｘ
〔遮光比率〕：１００％（基準）
〔可視光線透過率〕：９０．２６％
〔通気性〕：−
〔目隠し効果〕：昼間×，夜間×
【００２８】
〈比較例２〉
〔市販簾〕
〔厚み〕：２．８
〔床面温度〕：３０．４℃
〔照度〕：６４９０ｌｕｘ
〔遮光比率〕：１５．０％
〔可視光線透過率〕：２８．８１％
〔通気性〕：１．４ｍ／ｓ
〔目隠し効果〕：昼間◎，夜間△
【００２９】
以下に、実施例と比較例のまとめを表１に示す。
【００３０】
【表１】
2009197428.tif 000003
【００３１】
この結果により、以下のような知見を得た。
・実施例１は、床面温度、照度および遮光比率において、簾とほぼ同じ性能が得られる。
・通気性は、実施例１も比較例２も同一である。
【図面の簡単な説明】
【００３２】
【図１】本発明の一実施形態に係る日よけシートの使用状態図。
【図２】上記日よけシートの透光孔を拡大した拡大図。
【図３】上記日よけシートの遮光メカニズムを説明する説明図。
【符号の説明】
【００３３】
１  日よけシート
２  窓枠サッシ
３  網戸
４  取付治具
５  透光孔
【図１】
2009197428.tif 000004
【図２】
2009197428.tif 000005
【図３】
2009197428.tif 000006